(57)【要約】【課題】健康を維持し、健康状態を向上させることを望む個人に、有用性の高い適切なアドバイスを提供し得る健康アドバイス装置を提供すること。【解決手段】生活習慣の改善のためのアドバイスを表示する健康アドバイス装置であって、所定の質問群に対する回答群を入力するための生活分析アンケート入力手段と、生活分析アンケート入力手段より入力された前記回答群を用いて、健康リスクの予測される増減を演算する手段と、健康リスクの増加を予測した場合、該健康リスクを増加させた回答を、入力された回答群より選択する影響回答抽出手段と、選択された回答に対応する質問又は該質問と関連づけられたアドバイスを表示する、影響生活項目表示手段とを有する。【選択図】図８
2014135027.tif 000002
【特許請求の範囲】
【請求項１】
生活習慣の改善のためのアドバイスを表示する健康アドバイス装置であって、
所定の質問群に対する回答群を入力するための生活分析アンケート入力手段と、
生活分析アンケート入力手段より入力された前記回答群を用いて、健康リスクの予測される増減を演算する手段と、
健康リスクの増加を予測した場合、該健康リスクを増加させた回答を、入力された回答群より選択する影響回答抽出手段と、
選択された回答に対応する質問又は該質問と関連づけられたアドバイスを表示する、影響生活項目表示手段と、
を有する健康アドバイス装置。
【請求項２】
質問項目に対応するアドバイスを記憶するアドバイス記憶手段を備え、
前記影響生活項目表示手段は、質問項目に応じて、質問群の質問もしくはアドバイス記憶手段に記憶されたアドバイスの何れかを選択して表示する、請求項１に記載の健康アドバイス装置。
【請求項３】
演算した健康リスクの増減を表示する手段を有する、請求項１又は２に記載の健康アドバイス装置。
【請求項４】
前記演算した健康リスクの増減は、入力された回答の母集団内における偏差値である、請求項１〜３の何れか１項に記載の健康アドバイス装置。
【請求項５】
前記生活分析アンケート入力手段は、質問と質問に対する複数の回答とを表示する手段と、表示された複数の回答のうち装置の操作者が選択した回答を入力する手段とを備え、
健康リスクの予測される増減を演算する手段は、各々の質問に対する回答毎の健康リスクに与える影響係数を記憶する影響係数記憶手段と、該影響係数記憶手段から、前記操作者が選択した回答に対する影響係数を読み出す影響係数読み出し手段と、読み出した影響係数を用いて偏差値を求める手段とを備える、請求項１〜４の何れか１項に記載の健康アドバイス装置。
【請求項６】
コンピュータを、請求項１〜４の何れか１項に記載の健康アドバイス装置として機能させる健康アドバイスプログラム。
【発明の詳細な説明】
【技術分野】
【０００１】
本発明は、健康を維持し、健康状態を向上させることを望む個人に、その生活を改善する方向を示すアドバイスを提供する健康アドバイス装置および健康アドバイスプログラムに関する。
【背景技術】
【０００２】
従来、健康について、生活改善などをするアドバイスを、コンピュータシステムを用いて提供するための健康アドバイス装置が種々提案されている。
【０００３】
従来の健康アドバイス装置には、アドバイスを求める個人の健康状態の情報に基き、個人をグループ分けして、当該グループに応じたアドバイスをするものがある。しかし、このような装置は、結果としての健康状態のみに着目しているので、アドバイスが多項目に亘る場合がある。これを解消するため単純にアドバイス項目を減らすと、アドバイスが生活状況に合わず不適切となる。
【０００４】
そこで、健康状態に加えて生活状況を質問するなどして、健康状態と生活状況の双方を用いてグループ分けし、グループごとにアドバイスをするものが提案されている（特許文献１）。しかし、予めグループ毎に準備されたアドバイスを提供していることから、必ずしも現在の生活状況に対応しておらず、結果として有効なアドバイスとなっていないことも多かった。
【先行技術文献】
【特許文献】
【０００５】
【特許文献１】特開２０１０―１７０５３４号公報
【発明の概要】
【発明が解決しようとする課題】
【０００６】
本発明は、健康を維持し、健康状態を向上させることを望む個人に、有用性の高い適切なアドバイスを提供し得る健康アドバイス装置および健康アドバイスプログラムを提供することを課題とする。
【課題を解決するための手段】
【０００７】
本発明の発明者は、アドバイスを表示するにあたり、現在の生活習慣における問題点を指摘すると共に、問題点を改善するための方策をアドバイスとして提案することで、結果として提案を受け入れられる可能性が高まると考え、かかる着想の下で本発明を完成した。
【０００８】
本発明は、すなわち、生活習慣の改善のためのアドバイスを表示する健康アドバイス装置であって、所定の質問群に対する回答群を入力するための生活分析アンケート入力手段と、生活分析アンケート入力手段より入力された前記回答群を用いて、健康リスクの予測される増減を演算する手段と、健康リスクの増加を予測した場合、該健康リスクを増加させた回答を、入力された回答群より選択する影響回答抽出手段と、選択された回答に対応する質問又は該質問と関連づけられたアドバイスを表示する、影響生活項目表示手段と、を有する健康アドバイス装置を提供する。
ここで、健康リスクとは、健康診断等により得られる、健康状態を示す指標となる数値データをいい、そのデータが、健康状態が悪いとされる側に変化することを健康リスクが増加すると表現し、良いとされる側に変化することを健康リスクが減少すると表現する。より具体的には、体脂肪率、血圧、血中のコレステロール濃度などが健康リスクであり、これらの値が増加する場合を、健康リスクが増加するといい、減少する場合を健康リスクが減少するという。
【０００９】
また、本発明の健康アドバイス装置は、好ましくは、上記構成に加えて、健康リスクに影響を与える生活状態質問項目と共に該質問項目の回答が該健康リスクに与える影響がリスクを増やすか減らすかのリスク影響度を記憶した、リスク影響生活状態データベースと、該リスク影響生活状態データベースより、入力された回答に応じたリスク影響度を読み出し、入力された回答と共に表示する表示手段とを含む。
【００１０】
本発明で用いる質問項目やアドバイスデータは、一定の期間毎に更新することが好ましい。
【発明の効果】
【００１１】
本発明の健康アドバイス装置または健康アドバイスプログラムによれば、健康を維持し、健康状態を向上させることを望む個人に、確実適切なアドバイスを与えることができる。
【図面の簡単な説明】
【００１２】
【図１】本発明の健康アドバイス装置を実現するパーソナルコンピュータシステムのシステム構成図である。
【図２】リスク影響生活状態データベースの具体的構造の説明図である。
【図３】健康アドバイス装置の動作を示すフローチャートである。
【図４】健康アドバイス装置における生活分析アンケートの画面の一例である。
【図５】健康生活分類別の実施度を示す画面の一例である。
【図６】健康生活分類別の実施度を示す画面の他の例である。
【図７】内臓脂肪溜まり易さ度（健康リスクの予測される増減の程度）を示す画面の一例である。
【図８】影響度の高い行動を示す画面の一例である
【図９】本発明の別の実施形態の動作を示すフローチャートである。
【発明を実施するための形態】
【００１３】
以下、本発明の好ましい第１実施形態を、図面を参照しつつ説明する。
【００１４】
本発明に係る健康アドバイス装置は、図１に示すハードウエア構成のパーソナルコンピュータシステム１を用いて実現することができる。パーソナルコンピュータシステム１は、図１に示すように、システム全体を制御する制御装置２と、電子回路を介して制御装置２と論理的に接続された、主記憶装置３及び外部記憶装置４と、文字、数値、記号などを入力するためのキーボードである第１入力装置６Ａ及び画面表示と関連付けて画面の位置を指定するためのマウス装置である第２入力装置６Ｂと、後述するメモリ素子を接続するためのデータ端子５と、その内容が表示制御回路８により表示装置である液晶ディスプレイ装置９に表示されるスクリーンメモリ７とを備える。
【００１５】
制御装置２はマイクロプロセッサやバスコントローラなどを一体にして構成されたＬＳＩ素子および周辺回路で構成されている。主記憶装置３はＤＲＡＭ素子を主たる構成要素とする周知の回路ブロックである。外部記憶装置４は、第１実施形態ではハードディスク装置であり、本発明に係る健康アドバイス提案プロセスを実現するための健康アドバイスプログラムＰを内蔵記憶するとともに、その一部がリスク影響生活状態データベース２０のデータ記憶領域を構成する。リスク影響生活状態データベース２０は、アドバイス情報記憶領域３０を含んでいる。データ端子５は、具体的には周知のＵＳＢ規格の接続口（ＵＳＢポート）で実現され、不揮発性メモリ１０が挿入され、他のシステムからの各種データを受け入れるのに用いられる。
【００１６】
スクリーンメモリ７も主記憶装置３と同様にＤＲＡＭ素子で構成される。本第１実施形態では操作者に対するメッセージなどの表示を行う表示手段は、液晶ディスプレイ装置９、スクリーンメモリ７、表示制御回路８および外部記憶装置４に内蔵された図示しない表示制御プログラム（ディスプレイドライバ）で構成される。健康アドバイスプログラムＰによって表示制御プログラムに転送されたデータは、スクリーンメモリ７に一旦記憶され表示制御回路８を介して液晶ディスプレイ装置９に表示される。
【００１７】
制御装置２が、各部へのデータの書き込みおよび読み出しを行うほか、主記憶装置３、外部記憶装置４、スクリーンメモリ７相互間では、図示しないＤＭＡ回路を用いて直接データ転送が行われることで、大量のデータの取り扱いを容易にする構成となっている。
【００１８】
本実施形態の健康アドバイス装置で扱う健康リスクは、内臓脂肪の面積である。一般に、内臓脂肪の面積は、増加すると健康状態が悪化し、減少すると健康状態が向上するといわれている。
【００１９】
本発明の特徴の一つであるリスク影響生活状態データベース２０の具体的構造について、図２を参照して説明する。
【００２０】
リスク影響生活状態データベース２０は、図２に示すように、表形式の構造を有し、生活状態に関する質問と、その質問が属する生活状態分類と、その質問に対する回答に対応する影響係数とが組になり、それらの組が複数存在する形式で構成される。質問は、健康に関するアドバイスを受ける者の生活状態、特に健康に影響する可能性が高い生活状態に関するものである。
なお、以下では、回答に対応する影響係数を単に影響係数、あるいはリスク係数ということもあるが、何れも、リスク影響生活状態データベース２０に記憶された生活状態分類および回答に対応する影響係数、あるいはそれが記憶装置に複写されたものを指す。
【００２１】
例えば、第一列の先頭には「野菜を沢山食べる」という質問が記憶され、続いて、その質問が属する生活状態分類である「食事の質」、さらに、「あてはまる」という回答に対応する影響係数の値、「ややあてはまる」という回答に対応する影響係数の値、「ややあてはまらない」という回答に対応する影響係数の値、「あてはまらない」という回答に対応する影響係数の値が続く。
質問項目を（複数の）生活状態分類に分類することで、生活改善の大枠の指針、即ち、大枠として、生活のどのような面に気をつければよいかが把握し易くなる。
【００２２】
なお、リスク影響生活状態データベース２０に記憶されている質問および影響係数は、好ましくは、一定期間毎に、例えば毎年一回見直され、必要に応じて変更される。
【００２３】
図３に示す、健康アドバイス装置１の動作を示すフローチャート、および図４〜図７に示す液晶ディスプレイ装置９の画面を表す図を参照しながら、健康アドバイスプログラムＰにより実現される健康アドバイス装置１の動作（健康アドバイス提案プロセス）について説明する。
なお、パーソナルコンピュータシステム１は、健康アドバイスプログラムＰによって、本実施形態における健康アドバイス装置１の各手段として機能する。換言すれば、健康アドバイスプログラムＰは、パーソナルコンピュータシステム１を、前述又は後述する各手段を備えた健康アドバイス装置１として機能させる。
【００２４】
操作者すなわち本アドバイス装置を用いて健康に関するアドバイスを得たい利用者が、外部記憶装置４に記憶された健康アドバイスプログラムＰを起動する操作を第１入力装置６Ａ若しくは第２入力装置６Ｂを用いて行うと、ＩＤ入力を求める画面が液晶ディスプレイ装置９に表示される。画面の指示に従って、操作者がＩＤおよびパスワードを第１入力装置から入力すると、制御装置２上で動作するプログラムが、外部記憶装置４に記憶された図示しない利用者リストを参照して以後の操作を許可するかどうかの判定を行う。ＩＤ確認ステップにおいて、操作者が正当な利用者であると判定されると、生活分析アンケートのステップＳ１に制御が移る。
【００２５】
生活分析アンケートＳ１に制御が移ると、生活分析アンケート入力手段により、液晶ディスプレイ装置９に、質問の回答を促す表示が表示され、質問が一覧表形式で図４に示すように表示される。表示に従って、操作者が、自分がどれに該当するかを各質問毎にチェックしていく。画面に一度に表示する質問の数は１つでも複数でも良い。本実施形態では８０項目の質問があり、画面が８回切り替わることで全ての質問の表示及び各質問に対応する回答の入力が完了する。このように、本実施形態における生活分析アンケート入力手段は、質問と質問に対する複数の回答とを表示する手段と、表示された複数の回答のうち装置の操作者が選択した回答を入力する手段とを備えている。
【００２６】
生活分析アンケートＳ１が正常に終了すると、生活状態分類（すなわち｛食事の量・食事の質・食事時間・運動・生活｝）毎の実施度（予想される健康リスクの増減の評価）を演算し表示するステップである生活状態分類別実施度演算ステップＳ２が以下のごとく実行される。ここで、実施度とは、各生活状態の健康リスクの増減に与える影響をいい、以下に述べるように生活状態分類毎に演算される。
【００２７】
生活状態分類別実施度演算ステップＳ２では、まず、健康リスク評価手段が、図２に示すリスク影響生活状態データベースを用いて、利用者の生活状態の健康リスクに与える影響、具体的には増減及びその相対的程度を生活状態分類別に評価（演算）する。具体的には、操作者が選択した回答に対応する健康リスクへの影響係数を読み出し、読み出した影響係数を生活状態分類毎に加算して合計点を算出し，別途大量のデータから算出され図示しないデータベースに保存されている性・年代別の平均値（平均点）と標準偏差とを用いて正規化し，それを１０倍して最後に５０点を加算する。この演算処理を行うことで、いわゆる偏差値を求めることとなる。影響係数は、好ましいものは正の、好ましくないものは負の値となっている。容易に理解できるように５０点が中央値、すなわち良くも悪くも無い状態ということになる。なお、質問の内容によっては、内臓脂肪の面積に何ら影響を与えないとされているものもあり、その場合は、全ての回答について影響係数が０（ゼロ）とされている。この、生活状態分類別に演算された各々の利用者の生活状態の健康リスクに与える影響の値が生活状態分類別実施度であり、後述のように画面に表示されることで利用者に現状の生活での好ましい点、好ましくない点を自覚させる一助となる。
【００２８】
続いて、演算された生活状態分類毎の実施度は、実施度詳細表示ステップＳ２’において、生活状態分類別実施度表示手段により、図示しないデータベースに保存された年齢別、性別の平均データと共に、図５の如きくもの巣チャート、あるいは図６の如く図案化された棒グラフの何れかの表示形式で一度に表示される。このように複数の生活状態分類別実施度が平均データと共に一画面で表示されることで、操作者（利用者）は自身が平均に対して、生活のどのような点が良く、どのような点が悪いかを簡単に自覚できる。なお、何れの表示形式とするかを、予め操作者が選択できるようにすることが好ましい。
【００２９】
次に、健康リスクの増減の予測およびその程度を演算する手段（以下、健康リスクの増減予測手段という）により、健康リスクの増減予測（の評価）が演算され、演算された健康リスクの増減予測が、健康リスク表示手段により表示される。本実施形態では健康リスクは内臓脂肪の面積の増加、言い換えるとその溜まりやすさのみである。従って、本実施形態では内臓脂肪溜まりやすさを表示するステップＳ３が、健康リスクの増減を表示する手段により実行される健康リスクの増減予測表示ステップである。健康リスクの増減予測表示ステップでは、操作者のアンケートに対する回答とリスク係数に基づいて、健康リスクの増減予測が演算される。
【００３０】
本実施形態では、健康リスク評価手段により演算された生活状態分類別実施度を用いて、各生活状態分類別の生活状態分類影響度（各生活状態が健康リスクに与える影響を百分率で表したもの）を生活状態分類別実施度に乗じた上で加算して健康リスクの増減予測を行う健康リスクの増減予測手段を用いて健康リスクの増減を予測している。
【００３１】
本実施形態では、演算評価されるリスクは内臓脂肪の面積の増加リスクのみであり、演算した結果の値に応じて、図７に示すリスク表示が変化する。具体的には、矢印付き円ＣＷＡの位置が画面上で上下する。一番下が健康リスクの悪化がゼロ（健康リスク増大予測の評価が最小）、一番上が健康リスクの悪化評価が１００（健康リスク増大予測の評価が最大）である。
【００３２】
次に、実施度対影響度表示ステップＳ４が実行される。上述の生活状態分類毎のリスク係数、すなわち質問の「あてはまる」の影響係数の絶対値の総和が、当該生活状態分類の健康リスクの増減予測の評価に対する影響度である。具体的には、例えば「食事の量」では「間食をする」の影響係数２ａ、「いつもおなか一杯食べる。」の影響係数３ａ、および図示していないが生活状態分類が「食事の量」とされている質問の全ての「あてはまる」についての影響係数の和が影響度である。本実施形態では影響度２０につき１つのマークを表示している。
【００３３】
実施度の表示は、操作者の質問に対する回答により計算された前述の実施度を用いる。具体的には、前述の実施度が、５０点以上であれば実施度を良とし、それ以下であれば実施度を不良とする。良、不良は、図８にもあるようにシンボル化して表現すると、操作者に分かり易く、なじみ易い。
【００３４】
本実施形態における健康リスクの増減予測手段は、各々の質問に対する回答毎の健康リスクに与える影響係数を記憶する、前述したリスク影響生活データベースを主要部とする影響係数記憶手段（リスク影響生活状態データベース）と、該影響係数記憶手段から、前記操作者が選択した回答に対する影響係数を読み出す影響係数読み出し手段と、読み出した影響係数を用いて偏差値を求める手段（健康リスクの増減予測手段）とを備えている。
【００３５】
本実施形態では、さらに、「影響度の高い行動」として操作者の実施状況を生活状態分類毎に表示している。具体的には生活状態分類毎に影響係数の絶対値が大きい質問を「影響度の高い行動」として抽出する影響回答抽出手段を備え、該影響回答抽出手段により抽出された回答を表示し、併せて白丸と黒丸とで操作者の実施状況を表示している。本実施形態では、影響回答抽出手段により抽出された回答を、白丸及び黒丸と共に表示手段９に表示させる手段が、影響生活項目表示手段である。
【００３６】
影響度が２０以下の生活状態分類では影響係数の絶対値が最大の質問のみ、それ以外では影響係数の絶対値が最大の質問と、その次の大きさの質問の２つを「影響度の高い行動」として表示している。本実施形態では「影響度の高い行動」欄を好ましい行動として好ましい状態を白丸、好ましくない状態を黒丸が付されるようにしている。質問が好ましくない行動であるとき、白丸と黒丸の表示を一貫させるため、好ましい表現に変更して表示している。具体的には、「揚げ物は週２回まで」という「影響度の高い行動」に対応する質問は「揚げ物を週３回以上食べている。」という質問である。「あてはまる」の影響係数が負の場合、リスク影響生活状態データベースの図示しない欄（アドバイス記憶手段）に記録された好ましい行動表現に置き換えて「影響度の高い行動」が表示される。本実施形態においては、前述したアドバイス情報記憶領域３０がリスク影響生活状態データベース２０の一部の領域を構成しており、アドバイス情報記憶領域３０が、アドバイス記憶手段である。なお、アドバイス記憶手段は、リスク影響生活状態データベースと一体である必要は必ずしもない。即ち、リスク影響生活状態データベースの一部にアドバイス記憶手段へのポインタを設けておき、そのポインタを参照してアドバイスを表示することとしてもよい。
【００３７】
次に、本発明の健康アドバイス装置又は健康アドバイスプログラムの別の実施形態（以下、第２実施形態という）における動作（健康アドバイス提案プロセス）について、主として上述した健康アドバイス装置１の動作（健康アドバイス提案プロセス）との相違点について説明する。同様の点については、上述した実施形態についての説明が適宜適用される。第２実施形態においては、健康リスクの増減予測を、より簡易な方法で行う。以下、第２実施形態における簡易的な健康リスクの増減予測手段において実行される健康リスクの増減予測の演算方法について説明する。第２実施形態においては、上述した実施形態における実施度詳細表示ステップＳ２’がない。また、生活分類別実施度演算ステップＳ２もない。
性・年代別に質問重み係数データベースに記憶された各質問の質問重み係数を読み出し、読み出した質問重み係数と生活分析アンケートのステップＳ１で入力された各質問に対する回答に応じた影響係数を乗じて、乗じた全ての結果を加算し、予測母数とする。この予測母数を一次式で補正して，これを内臓脂肪の溜まりやすさとする。補正の計算式は、計算結果が０から１００の間に収まるように定めてある。より詳しく述べると、各質問毎に回答の影響係数のうち正の値のものの絶対値の最大に質問重み係数を乗じたものを加算し、それで５０を除して正側補正係数とする。同様の計算を回答の影響係数の負の値についても行い負側補正係数とする。前記の方法で計算された予測母数が正の場合は正側補正係数を、負の場合は負側補正係数を乗じた上で５０を加え健康リスクの増減として表示する。
【００３８】
第２実施形態においては、簡易な健康リスクの増減予測手段を用いることで、生活状態分類別実施度を演算することなく健康リスクをできるので、生活状態分類別実施度を表示しない場合に、演算が簡略化でき、高速に健康リスクが演算、表示できる。
【００３９】
以上、本発明の好ましい実施形態について説明したが、本発明の実施形態は上記に限られない。例えば画面毎に、要素の具体的表示位置や大きさは、見易さなどを考慮してさらに良いものにできるのはもちろんである。
質問の答えを４段階に分けたが、３段階あるいは５段階としたりしても良い。その場合、リスク影響生活状態係数も、各項目毎に３段階あるいは５段階となり、図２に示すリスク影響生活状態データベースの影響係数の欄も４列ではなく３列または５列になる。
また、生活状態を食事、運動、生活の３つに分類したが、より細かくし、例えば食事を量と質、より詳しくは、量、食べ物の質、食べ方の質および食事時間に分けたり、運動を日常的な運動（有酸素運動）とジムなどで行うスポーツとに分けてもよい。
【００４０】
また、回答は、チェック欄をチェックする方法に代えて、数字を第１入力手段６Ａから入力する方法等、他の方法で回答させても良い。また、健康アドバイス装置は、ネットワークで接続された複数のコンピュータに手段や機能を分けて実現しても良い。
【符号の説明】
【００４１】
１  パーソナルコンピュータシステム
２  制御装置
３  記憶装置
４  記憶装置
２０  リスク影響生活状態データベース
３０  アドバイス情報記憶領域（アドバイス記憶手段）
【図１】
2014135027.tif 000003
【図２】
2014135027.tif 000004
【図３】
2014135027.tif 000005
【図４】
2014135027.tif 000006
【図５】
2014135027.tif 000007
【図６】
2014135027.tif 000008
【図７】
2014135027.tif 000009
【図８】
2014135027.tif 000010
【図９】
2014135027.tif 000011